(57)【要約】【課題】  在室者に不快感を感じさせずに空調負荷を低減することにより省エネを目指す空調制御装置及び空調制御方法，あるいは，短時間の在室者の快適感を上昇させ続ける空調制御装置及び空調制御方法を提供すること。【解決手段】  本発明の空調制御システム１の制御装置２０は，対象室内に空調を施す空調設備１０を制御する。そして，対象室内のＰＭＶ値を取得するＰＭＶ値算出部２３と，対象室内の目標環境水準を設定する変位値設定部２５と，ＰＭＶ値算出部２３が取得したＰＭＶ値に基づいて，対象室内の環境を目標環境水準に近づけるように空調設備１０を制御する空調制御部２６とを有し，変位値設定部２５は，目標環境水準を，時間の経過とともに一方向的に変化させていくものである。その変化パターンには，１日のうちで快適度が減少する方向への変化，あるいは，１シーズンのうちで快適度が減少する方向への変化等がある。【選択図】            図１
2005127582.tif 000002
【特許請求の範囲】
【請求項１】
対象室内に空調を施す空調機器を制御する空調制御装置において，
対象室内の環境値を取得する室内環境取得部と，
対象室内の目標環境水準を設定する目標環境設定部と，
前記室内環境取得部が取得した環境値に基づいて，対象室内の環境を目標環境水準に近づけるように空調機器を制御する制御部とを有し，
前記目標環境設定部は，目標環境水準を，時間の経過とともに一方向的に変化させていくものであることを特徴とする空調制御装置。
【請求項２】
請求項１に記載する空調制御装置において，
前記目標環境設定部が目標環境水準を変化させていくパターンに，空調機器を連続して運転する期間中に，快適度が減少する方向に変化させていくパターンがあることを特徴とする空調制御装置。
【請求項３】
請求項１または請求項２に記載する空調制御装置において，
前記目標環境設定部が目標環境水準を変化させていくパターンに，空調機器を同一の運転モードで運転する期間中に，快適度が減少する方向に変化させていくパターンがあることを特徴とする空調制御装置。
【請求項４】
請求項１に記載する空調制御装置において，
前記目標環境設定部が目標環境水準を変化させていくパターンに，空調機器を連続して運転する期間中に，快適度が増大する方向に変化させていくパターンがあることを特徴とする空調制御装置。
【請求項５】
対象室内に空調を施す空調機器を制御する空調制御方法において，
対象室内の環境値を取得し，
取得した環境値に基づいて，対象室内の環境をあらかじめ設定された目標環境水準に近づけるように空調機器を制御するとともに，目標環境水準を時間の経過とともに一方向的に変化させていき，
目標環境水準を変化させていくパターンに，
空調機器を連続して運転する期間中に，快適度が減少する方向に変化させていくパターンと，
空調機器を同一の運転モードで運転する期間中に，快適度が減少する方向に変化させていくパターンと，
空調機器を連続して運転する期間中に，快適度が増大する方向に変化させていくパターンとからなる群の少なくとも１つが含まれることを特徴とする空調制御方法。
【発明の詳細な説明】
【技術分野】
【０００１】
本発明は，室内環境を調整するための空調制御装置及び空調制御方法に関する。さらに詳細には，人間の馴化機能を考慮した空調制御装置及び空調制御方法に関するものである。
【背景技術】
【０００２】
人間には刺激に対する馴化機能があり，十分に快適な室内環境であっても，長時間その中にいるとさほど快適であると感じなくなる。そのため，例えば室内側送風機に風量のゆらぎパターンを複数種類記憶させ，不規則にゆらぎパターンを変更させて絶えず新しい刺激を感じさせるようにしたものがある（例えば，特許文献１参照。）。あるいは，オンオフ制御される冷暖房装置のオフ温度を不規則に変動させて，馴化現象による快適度の喪失を防止したものもある（例えば，特許文献２参照。）。
【特許文献１】特開平７−１４５９８８号公報
【特許文献２】特公昭６１−３８４８１号公報
【発明の開示】
【発明が解決しようとする課題】
【０００３】
しかしながら，前記した従来の空調制御装置あるいは空調制御方法では，いずれも設定された所定の室内温度を中心として制御されるものであり，例えば，夏期の冷房は２５℃，冬期の暖房は２４℃等と設定される。そして，風量やオフ温度を不規則に変化させることにより，常に新鮮な刺激を感じさせるようにしているものである。
【０００４】
これに対し，近年では省エネの一環として，冷暖房を弱くする方針が取られつつあるが，事業所等ではそれにより在室者の作業効率が低下することは好ましくないという問題点があった。また，長時間在室する在室者にとっては，長期間にわたる強度な冷房環境が，冷房病等の体調不良を引き起こす原因となるおそれもある。このため，在室者に不満を感じさせることなく冷暖房を弱くすることが望まれていた。
また，あるいは，映画館や劇場等の集客施設の在室環境では，顧客がより一層の快適感を得られるような制御が行われることもまた望まれていた。
【０００５】
本発明は，前記した従来の空調制御装置あるいは空調制御方法が有する問題点を解決するためになされたものである。すなわちその課題とするところは，在室者に不快感を感じさせずに空調負荷を低減することにより省エネを目指す空調制御装置及び空調制御方法，あるいは，短時間の在室者の快適感を上昇させ続ける空調制御装置及び空調制御方法を提供することにある。
【課題を解決するための手段】
【０００６】
この課題の解決を目的としてなされた本発明の空調制御装置は，対象室内に空調を施す空調機器を制御する空調制御装置であって，対象室内の環境値を取得する室内環境取得部と，対象室内の目標環境水準を設定する目標環境設定部と，室内環境取得部が取得した環境値に基づいて，対象室内の環境を目標環境水準に近づけるように空調機器を制御する制御部とを有し，目標環境設定部は，目標環境水準を，時間の経過とともに一方向的に変化させていくものである。
【０００７】
本発明の空調制御装置によれば，対象室内の環境は空調機器と制御部とによって目標環境水準に近づけるように制御される。ここで，人間の感覚には馴化機能があるため，同程度の環境状態である室内に長時間いると，快適であるかどうかの感覚が鈍くなる。そのため，環境状態がある程度変化しても，変化の程度によっては感覚的には変化が感じられないこともある。そこで，在室者に変化を明白には感じさせない程度に，目標環境水準を目標環境設定部によって時間の経過とともに一方向的に変化させ，対象室内の環境を変化させる。この一方向が空調負荷を低減させる方向であれば，在室者に不快感を感じさせずに空調負荷を低減することにより省エネを目指す空調制御装置とすることができる。一方，この一方向が快適度を増大する方向であれば，在室者の快適感を上昇させ続ける空調制御装置とすることができる。
【０００８】
さらに本発明では，目標環境設定部が目標環境水準を変化させていくパターンに，空調機器を連続して運転する期間中に，快適度が減少する方向に変化させていくパターンがあることが望ましい。
空調負荷を低減させる方向への変化は一般的に，快適度が減少する方向となる。そこでこのパターンによって変化させれば，例えば１日のように空調機器を連続して運転する期間中に，在室者の馴化を利用して，在室者に不快感を感じさせずに空調負荷を低減することができる。
【０００９】
さらに本発明では，目標環境設定部が目標環境水準を変化させていくパターンに，空調機器を同一の運転モードで運転する期間中に，快適度が減少する方向に変化させていくパターンがあることが望ましい。
このパターンによって変化させれば，例えば夏期または冬期のように，冷房または暖房の同一の運転モードで運転する期間中に，在室者の馴化を利用して，在室者に不快感を感じさせずに空調負荷を低減することができる。
【００１０】
さらに本発明では目標環境設定部が目標環境水準を変化させていくパターンに，空調機器を連続して運転する期間中に，快適度が増大する方向に変化させていくパターンがあることが望ましい。
このパターンによって変化させれば，在室者の快適感を上昇させ続ける空調制御装置とすることができる。特に，集客施設や，短時間のみの在室者の多い施設では，在室中に快適感が増大し続けるので，よりよい印象を与えることができる。
【００１１】
さらに，本発明は，対象室内に空調を施す空調機器を制御する空調制御方法であって，対象室内の環境値を取得し，取得した環境値に基づいて，対象室内の環境をあらかじめ設定された目標環境水準に近づけるように空調機器を制御するとともに，目標環境水準を時間の経過とともに一方向的に変化させていき，目標環境水準を変化させていくパターンに，空調機器を連続して運転する期間中に，快適度が減少する方向に変化させていくパターンと，空調機器を同一の運転モードで運転する期間中に，快適度が減少する方向に変化させていくパターンと，空調機器を連続して運転する期間中に，快適度が増大する方向に変化させていくパターンとからなる群の少なくとも１つが含まれる空調制御方法にも及ぶ。
【発明の効果】
【００１２】
本発明の空調制御装置及び空調制御方法によれば，在室者に不快感を感じさせずに空調負荷を低減することにより省エネを目指す空調制御装置及び空調制御方法，あるいは，短時間の在室者の快適感を上昇させ続ける空調制御装置及び空調制御方法が提供されている。
【発明を実施するための最良の形態】
【００１３】
「第１の実施の形態」
以下，本発明を具体化した第１の実施の形態について，添付図面を参照しつつ詳細に説明する。本実施の形態の空調制御システム１は，その概略構成を図１に示すように，一般的な空調設備１０とそれを制御する制御装置２０とを有するものである。
【００１４】
本実施の形態の空調制御システム１の空調設備１０は，目標とする環境値（例えば，室内温度）の設定が可能であり，設置されている室内の温度をその目標室内温度に近づけるべく自動的に冷暖房運転されるものである。さらには，風向や風量が調整できるものであってもよい。
また，制御装置２０は，図１に示すように，センサ部２１，設定入力部２２，ＰＭＶ値算出部２３，タイマ部２４，変位値設定部２５，空調制御部２６を有する。
【００１５】
センサ部２１は，各種のセンサ装置を有し，室内温度，室内湿度，風速，輻射等を測定する部分である。設定入力部２２は，在室者による着衣量及び作業量の入力を受け付ける部分である。ＰＭＶ値算出部２３は，センサ部２１によって検出された各種センサ値と設定入力部２２からの入力データに基づいて後述するＰＭＶ値を算出する部分である。タイマ部２４は，日付及び時刻のデータを常に出力している部分である。変位値設定部２５は，タイマ部２４が取得した日付及び時刻に基づいて，そのときの変位値を設定する部分である。ここで，変位値とは，各時刻における，空調設備１０が目標とする環境値（例えば，ＰＭＶ値）の基準設定値からの変化量を表す。この変位値の各種のパターンは，変位値設定部２５にあらかじめ記憶されている。空調制御部２６は，空調設備１０の設定を変更して室内環境の制御を行う部分である。
【００１６】
次に，ＰＭＶ値算出部２３で算出されるＰＭＶ値について説明する。ＰＭＶとは， Predicted Mean Vote：平均予想温冷感申告の略であり，このＰＭＶ値は近年，快適度の指標として，従来の室内温度に代えて用いられるようになってきている。このＰＭＶ値は，ＩＳＯ７７３０によって国際規格化されているものであり，温度，湿度，気流，輻射，着衣量，作業量の６要素から，快適方程式と呼ばれる式によって算出される。「０」を中心とし，「＋３」の「非常に暑い」から「−３」の「非常に寒い」までの範囲内の数値で表現される。一般には，（−０．５＜ＰＭＶ＜＋０．５）でほぼ快適とされている。
【００１７】
これら６要素のうち，温度，湿度，気流，輻射は，センサ部２１によって測定される。また，作業量は，その室内で行われる作業の種類によっておよそ決定される。ここでは，空調制御システム１が設置される室内として，事務所や工場等の複数の人数が比較的長時間にわたって在室し，ほぼ同程度の作業量の作業が連続して行われる場所を想定している。このような場合では，その室内での作業量を空調システム１の設置時等に想定し，記憶設定しておくことができる。また，着衣量については，年間を通しての在室者の着衣量を日付に対応させて予め予測し，ＰＭＶ値算出部２３に記憶させておいて使用してもよい。あるいは，数種類のパターンを用意しておいて，衣替え等のタイミングで管理者が設定入力部２２から設定入力するようにしてもよい。
【００１８】
ところで，人間には馴化機能があり，快適環境であってもその中に長時間いると次第に快適さを感じなくなる。その一方で，同じ人間の馴化機能により，環境が不快な方向へゆっくり変化しても，ある程度までの範囲ではあまり不快を感じないことが多い。この空調制御システム１はその点を利用し，馴化に従って徐々に快適度を低下させる制御を行う。ここでは，シーズン馴化（長区間変位）と日馴化（短区間変位）に分けて考える。
【００１９】
長区間変位は，例えば，夏期・冬期等の同じ冷暖房状態が継続して使用される期間全体を通して，徐々に快適度を変えるパターンである。また，短区間変位は，例えば１日等の，連続して空調設備１０が稼働する期間内でのパターンである。制御装置２０は，基準となる環境値（ＰＭＶ値または空調設定等）に対し，長区間変位による変位値と短区間変位による変位値とを合計した総合変位値だけ変化させた環境値を目標として，空調設備１０を制御する。具体的な変化のさせ方の例としては，長区間変位及び短区間変位のいずれにおいても，各区間の初めでは快適度がある程度高くなるようにし，次第に快適度を低下させる。そして，区間の中程で快適度を快適範囲の下限近くになるように低下させた後，区間の終わりまではその状態を保つという方法がある。
【００２０】
次に，長区間変位と短区間変位とによる環境値の変化の例を図２，図３に示す。ただしここでは，簡単のために環境値の指標として，室内温度を用いて示している。図２は，夏期シーズンの例であり，図３は，冬期シーズンの例である。図２（ａ）は，長区間変位を６〜１０月全体にわたる冷房期間の目標室内温度の変化として示したものであり，図２（ｂ）は，短区間変位をその中の１日の目標室内温度の変化として示している。それぞれの図において，一点鎖線で示したのが基準設定温度であり，ここから長区間変位または短区間変位による変位値だけ変化させた結果，実線で示した空調制御システム１による目標室内温度が得られている。また，破線で外気温度の推移の例を示し，図２（ａ）では日最高温度の平均的な推移を，図２（ｂ）では，平均的な一日の外気温度の推移を示している。
【００２１】
この例での具体的な目標室内温度の変化は以下のようになる。まず，図２（ａ）に示すように，シーズン当初は基準設定温度通りの２５℃に設定される。その後，６月中旬から暑さのピークとなる８月中旬へ向けて，２８℃（＋３℃）まで徐々に目標室内温度を上昇させる。それ以降は，馴化が進んでいるので，そのまま２８℃の状態を継続してシーズン最後まで保持する。これが長区間変位による目標室内温度の変化である。
【００２２】
また，そのうちの１日について見ると，図２（ｂ）に示すように，朝の出勤時には基準設定温度の２５℃より１℃低く設定し，快適度をより高くする。そして外気温度のピークとなる１４時前後に向けて少しずつ目標室内温度を上げ，２８℃（＋３℃）まで変化させる。その後は，終業までその状態を保つ。これが短区間変位による目標室内温度の変化である。なお，この図２（ｂ）は，長区間変位が０℃の場合についてのグラフであり，長区間変位が＋３℃の時期であれば，この全体の目標室内温度にさらに＋３℃としたものとなる。すなわち，長区間変位が＋３℃の時期では，１日の目標室内温度は，基準設定温度に対して（＋３−１）℃から（＋３＋３）℃まで次第に上昇させることになる。
【００２３】
一方，冬期シーズンには，図３に示すように目標室内温度を変化させる。図３（ａ）は，暖房期間の１１〜３月全体での目標室内温度の変化を示し，図３（ｂ）は，その中の１日の目標室内温度の変化を示している。一点鎖線の基準設定温度に対し，実線が変化させた目標室内温度である。また，破線で外気温度の推移の例を示し，図３（ａ）では日最低温度の平均的な推移を，図３（ｂ）では，平均的な一日の外気温度の推移の例を示している。すなわち，冬期シーズンでは，暖房の目標室内温度を長区間変位と短区間変位とによって徐々に下げることになる。なお，ここでは室内温度のみに注目して説明したが，空調設備１０が温度以外の要素も設定可能な装置であれば，他の要素も制御対象に入れて，各種の設定を変化させることが好ましい。また，ここで示した−１℃と＋３℃等の数値は単なる例であり，−０．５℃と＋２．５℃等としてもよい。
【００２４】
次に，図４に基づいて，この制御装置２０による空調設備１０の運転制御処理について説明する。始業時に空調設備１０の運転を開始すると，まず，制御装置２０はタイマ部２４からその日の日付を取得し，その日付に基づいて変位値設定部２５によって長区間変位による変位値を取得する（Ｓ１０１）。次に，タイマ部２４から取得したそのときの時刻から，変位値設定部２５によって短区間変位による変位値を取得する（Ｓ１０２）。あるいは，運転スタートからの経過時間によって短区間変位による変位値を取得してもよい。
【００２５】
次に，Ｓ１０１で得られた長区間変位による変位値とＳ１０２で得られた短区間変位による変位値とを加えて，総合変位値を取得する（Ｓ１０３）。次に，基準設定温度等に対応する基準ＰＭＶ値と，Ｓ１０３で得られた総合変位値とから，空調設備１０による室内環境の目標となる目標ＰＭＶ値を算出する（Ｓ１０４）。
【００２６】
さらに，現在の室内環境と目標ＰＭＶ値を比較するために，まず，センサ部２１の計測値を使用してＰＭＶ値算出部２３で算出することにより，現在のＰＭＶ値を取得する（Ｓ１０５）。そして，現在のＰＭＶ値が目標ＰＭＶ値を上回っているかどうかを判断する（Ｓ１０６）。上回っている場合は（Ｓ１０６：Ｙｅｓ），現在のＰＭＶ値を下げて目標ＰＭＶ値に近づけるように空調設備１０を制御する（Ｓ１０７）。あるいは，現在のＰＭＶ値が目標ＰＭＶ値を下回っているかどうかを判断する（Ｓ１０８）。下回っている場合は（Ｓ１０８：Ｙｅｓ），現在のＰＭＶ値を上げて目標ＰＭＶ値に近づけるように空調設備１０を制御する（Ｓ１０９）。
【００２７】
現在のＰＭＶ値が目標ＰＭＶ値と等しい場合は（Ｓ１０６：Ｎｏ，Ｓ１０８：Ｎｏ），そのままの設定での運転を継続する。そして，Ｓ１０２で短区間変位を取得してから所定の時間が経過したかどうかを判断する（Ｓ１１０）。所定時間経過した場合は（Ｓ１１０：Ｙｅｓ），Ｓ１０２に戻って次の短区間変位を取得する。そして，Ｓ１０２〜Ｓ１０４までの実行により，新たな目標ＰＭＶ値を算出する。所定時間経過していない場合は（Ｓ１１０：Ｎｏ），目標ＰＭＶ値はそのままで，現在のＰＭＶ値の監視を継続する（Ｓ１０５〜Ｓ１０９）。空調設備１０の運転が停止されるまで，Ｓ１０２〜Ｓ１１０を繰り返し，空調設備１０の運転が停止されると，この処理も終了する。
【００２８】
次に，図５〜図８に，この空調制御システム１による運転制御を行った実験の結果を示す。図５と図６は夏期シーズンのものであり，図７と図８は冬期シーズンのものである。
図５に示すように，夏期シーズンでは，実験日のいずれにおいても従来制御時と比較して消費電力量は大きく減少した。特に，消費電力量の小さくなる９月中旬から下旬にかけては３０〜４０％の省エネとなった。また，８月下旬から９月上旬においても２５〜３０％程度は省エネとなった。
【００２９】
これをＰＭＶ値の変化として見ると，図６に示すようになる。この図では，中央のＰＰＤ（予想不満足者率）値グラフの左側の図で，破線に囲まれた範囲が従来の固定設定によるＰＭＶ値範囲である。また，ＰＰＤ値グラフの右側の図で，破線で囲まれた範囲が今回の実験による空調制御システム１の制御でのＰＭＶ値範囲であった。左側図での斜線部は，ＩＳＯ７７３０によって快適域と定められている範囲（−０．５＜ＰＭＶ＜０．５）を示している。また，ＰＰＤ値は，各ＰＭＶ値に対応して予め定められているものであり，上記の快適域は，このＰＰＤ値が１０％未満となる範囲とされている。なお，この図から分かるように，どんなに快適な環境であっても，不満足者は０とはならない。
【００３０】
今回の実験の結果，実測されたＰＭＶ値は０．８１〜１．８８の範囲であった。この範囲は，一般的にはＰＰＤ値が２０〜６０％程度となる範囲である。しかし，空調制御システム１による制御で徐々にＰＭＶ値を上昇させたので，不満足者率は快適域の場合とほとんど変わらなかった。従って，不満足者を増加させることなく，省エネが実行できたと言える。
【００３１】
また，図７と図８から分かるように，冬期シーズンにおいても夏期シーズンと同様に効果が得られた。図７では，空調制御システム１による運転の日では，従来制御による日に比較して消費電力量で５０〜８０％の省エネとなった日もあった。冬期シーズンでは，その日の外気温度等の条件から総合的な平均ＰＭＶ値は日によって異なり，省エネ度も夏期シーズンと比較するとバラツキが大きいものとなった。また，図８に示すように，ＰＭＶ値範囲はやや減少し，全体として寒い側へ変化した。
【００３２】
以上詳細に説明したように，本実施の形態の空調制御システム１によれば，人間の馴化機能を利用して，徐々に快適度を低下させる。しかも，区間の当初では十分に快適度を高くし，ゆっくりと快適度を低下させているので，不満足者が増加することはない。従って，在室者に不快感を感じさせずに空調負荷を低減することにより，省エネとすることのできる空調制御システム１となっている。
【００３３】
「第２の実施の形態」
以下，本発明を具体化した第２の実施の形態について，添付図面を参照しつつ詳細に説明する。本実施の形態の空調制御システム１の構成は，第１の実施の形態のものと同様であるので，同じ符号を付して説明を省略する。
【００３４】
本実施の形態は，映画館や劇場等の所定の上演時間内ではほとんど人の出入りがなく，上演時間が終了すると大きく出入りがあるような場所での使用を想定したものである。このような場所では，長期間にわたる馴化は発生しないので，長区間変位は設定しない。そして，上演時間を一区切りとした短区間変位のみを設定すればよい。短区間変位の例としては，上演時間全体で徐々にＰＭＶ値＝０に近づけるものでもよい。こうすれば，上演中徐々に快適度が上昇し，非常に快適な状態で鑑賞を終了できる。あるいは，初めに比較的快適なＰＭＶ値まで短時間で推移させ，その後はごく少しずつ快適度を上昇させるとしてもよい。こうすれば，早い段階で快適な状態となり，最後まで冷暖房が利きすぎている状態になることがない。
【００３５】
次に，図９に基づいて，本実施の形態の空調制御システム１の空調設備１０の運転制御処理について説明する。この処理は，各回の開場あるいは開演とともに実行開始されるものである。この処理が開始されると，まず，開始からの経過時間に応じて短区間変位による変位値が取得される（Ｓ２０１）。この実施の形態では，長区間変位がないので，この短区間変位による変位値を総合変位値とする（Ｓ２０２）。
【００３６】
その後，図９のＳ２０３〜Ｓ２０９を行う。これは，現在のＰＭＶ値を目標ＰＭＶ値に近づけるための処理部分であり，第１の実施の形態で図４のＳ１０４〜Ｓ１１０に示したものと同様であるので，説明を省略する。そして，Ｓ２０１で短区間変位を取得してから所定時間経過していないときには（Ｓ２０９：Ｎｏ），その回の終演に至ったかどうかを判断する（Ｓ２１０）。まだ終演でなければ（Ｓ２１０：Ｎｏ），さらに空調の制御を行い（Ｓ２０４〜Ｓ２０９），終演になったら（Ｓ２１０：Ｙｅｓ），この処理を終了する。
【００３７】
以上詳細に説明したように，本実施の形態の空調制御システム１によれば，人間の馴化機能を鑑みて，少しずつ快適度を上昇させるように空調設備１０を設定している。従って，映画館等の比較的短時間ほぼ閉鎖される室内環境に適し，短時間の在室者の快適感を上昇させ続ける空調制御システム１となっている。
【００３８】
なお，本実施の形態は単なる例示にすぎず，本発明を何ら限定するものではない。したがって本発明は当然に，その要旨を逸脱しない範囲内で種々の改良，変形が可能である。
例えば，上記の各実施の形態では，目標ＰＭＶ値を１つの数値としているが，ある程度の幅を有するものであってもよい。その場合は，現在のＰＭＶ値が目標ＰＭＶ値の上限を超えた場合には，ＰＭＶ値を下げる方向に制御すればよい。また，現在のＰＭＶ値が目標ＰＭＶ値の下限を下回った場合には，ＰＭＶ値を上げる方向に制御すればよい。
また例えば，上記第１の実施の形態では，所定時間毎に毎回短区間変位を取得しているが，短区間変位による変位値がその上限値に収束した後は，現在ＰＭＶ値と目標ＰＭＶ値との比較のみを連続して実行するようにしてもよい。
【００３９】
また例えば，上記第１の実施の形態では変位値設定部２５に長区間変位と短区間変位のそれぞれのパターンを予め記憶させている。しかし，パターン全体を予め記憶させる代わりに，変位値の限度と前日の変位値とを日々記憶させておき，それらからその日の変位値を算出するようにしてもよい。
また例えば，上記第１の実施の形態では，空調設備１０の温度設定を変化させているが，室内温度を測定しつつオンオフ制御をすることによってもよい。また，他の設定をも変化させることのできる空調設備１０では，それらを組み合わせて変化させてもよい。
また例えば，上記第１の実施の形態では，一定の割合で温度設定を変更しているが，初めは少し大きく変化させ，次第にゆっくりとした変化にするというような方法でもよい。
【図面の簡単な説明】
【００４０】
【図１】第１の実施の形態に係る空調制御システムの概略構成を示すブロック図である。
【図２】夏期シーズンにおける空調制御システムによる制御方法を示す説明図である。
【図３】冬期シーズンにおける空調制御システムによる制御方法を示す説明図である。
【図４】空調制御システムの運転制御処理を示すフローチャートである。
【図５】夏期シーズンについて評価した結果の消費電力量の変化を示すグラフである。
【図６】夏期シーズンについて評価した結果のＰＭＶ値の変化を示すグラフである。
【図７】冬期シーズンについて評価した結果の消費電力量の変化を示すグラフである。
【図８】冬期シーズンについて評価した結果のＰＭＶ値の変化を示すグラフである。
【図９】第２の実施の形態に係る空調制御システムの運転制御処理を示すフローチャートである。
【符号の説明】
【００４１】
１  空調制御システム
１０  空調設備
２０  制御装置
２３  ＰＭＶ値算出部
２５  変位値設定部
２６  空調制御部
【図１】
2005127582.tif 000003
【図２】
2005127582.tif 000004
【図３】
2005127582.tif 000005
【図４】
2005127582.tif 000006
【図５】
2005127582.tif 000007
【図６】
2005127582.tif 000008
【図７】
2005127582.tif 000009
【図８】
2005127582.tif 000010
【図９】
2005127582.tif 000011